【手続補正書】
【提出日】平成28年1月13日(2016.1.13)
【手続補正１】
【補正対象書類名】特許請求の範囲
【補正対象項目名】全文
【補正方法】変更
【補正の内容】
【特許請求の範囲】
【請求項１】
オンライン・システムが、所定の時点より前に実行されたユーザ・アクションから決定された特徴値を記憶する累積特徴ストアを維持する工程と、
前記オンライン・システムが、前記時点より後に実行されたユーザ・アクションから決定された特徴値を記憶する増分特徴ストアを維持する工程であって、前記維持する工程は、ユーザ・アクションについて記述している情報を受け取ったことに応答して前記増分特徴ストアの特徴値を更新する工程を含む、工程と、
特徴値の要求を受け取る工程であって、前記要求は、ユーザおよび特徴を識別する、工程と、
前記累積特徴ストアから第１の部分的結果を受け取る工程であって、前記第１の部分的結果は、前記時点より前に前記ユーザによって実行されたタイプのユーザ・アクションから決定される、工程と、
前記増分特徴ストアから第２の部分的結果を受け取る工程であって、前記第２の部分的結果は、前記時点より後に前記ユーザによって実行されたタイプのユーザ・アクションから決定される、工程と、
前記第１の部分的結果および前記第２の部分的結果を含む重み付けされた組合せを決定する工程であって、前記第１の部分的結果は、減衰係数によって重み付けされる、工程と、
要求された前記特徴値として前記重み付けされた組合せを返す工程と、を備える、方法。
【請求項２】
前記減衰係数は、１未満の値である、請求項１に記載の方法。
【請求項３】
前記減衰係数は、前記特徴に関連付けられているタイプに基づく、請求項１に記載の方法。
【請求項４】
前記増分特徴ストアは、第１の増分特徴ストアであり、前記方法は、
前記オンライン・システムが、第２の増分特徴ストアを維持する工程と、
後続の時点において前記第１の増分特徴ストアについて非アクティブとして印を付け、前記後続の時点より後に前記オンライン・システムによって受け取られたユーザ・アクションに応答して前記第２の増分特徴ストアの特徴を更新する工程と、
前記要求を受け取ったことに応答して、前記第２の増分特徴ストアから第３の部分的結果を受け取る工程と、をさらに備える、請求項１に記載の方法。
【請求項５】
前記重み付けされた組合せは、前記第３の部分的結果をさらに含む、請求項４に記載の方法。
【請求項６】
前記重み付けされた組合せでは、第２の減衰係数によって前記第３の部分的結果を重み付けする、請求項５に記載の方法。
【請求項７】
特徴は、ユーザ・アクションについて記述している値またはその他の特徴値のうちの１以上に基づく式として表される、請求項１に記載の方法。
【請求項８】
前記増分特徴ストアについて非アクティブとして印を付け、前記増分特徴ストア内に記憶されている前記特徴値に対する前記更新を停止する工程と、
前記増分特徴ストアからの特徴値と、前記累積特徴ストアからの対応する特徴値との重み付けされた組合せを決定する工程であって、前記累積特徴ストアからの前記特徴値は、減衰係数によって重み付けされる、工程と、
前記重み付けされた組合せによって前記累積特徴ストアの前記特徴値を更新する工程と、をさらに備える、請求項１に記載の方法。
【請求項９】
前記累積特徴ストア用に使用されているデータ・ストアと比較して、より速いデータ・アクセスを提供するデータ・ストア内に前記増分特徴ストアを記憶する工程をさらに備える、請求項１に記載の方法。
【請求項１０】
前記増分特徴ストアは、ランダム・アクセス・メモリ内に記憶されている、請求項１に記載の方法。
【請求項１１】
各特徴は、ユーザと、ターゲット・エンティティと、前記ターゲット・エンティティに関連付けられている前記ユーザによって実行されたユーザ・アクションに基づく特徴値とに関連付けられている、請求項１に記載の方法。
【請求項１２】
コンピュータ実行形式のコードを記憶している非一時的コンピュータ可読記憶媒体であって、前記コードは、
所定の時点より前に実行されたユーザ・アクションから決定された特徴値を記憶する累積特徴ストアを維持する工程、および、
特徴値を記憶する増分特徴ストアを維持する工程であって、前記維持する工程は、前記時点より後に実行されたユーザ・アクションについて記述している情報を受け取ったことに応答して前記増分特徴ストアの特徴値を更新する工程を含む、工程、
を行うように構成されるオンライン・システムの特徴管理モジュールと、
特徴値の要求を受け取る工程であって、前記要求は、ユーザ、および所定のタイプのユーザ・アクションに関連付けられている特徴を識別する、工程、
前記累積特徴ストアから第１の部分的結果を受け取る工程であって、前記第１の部分的結果は、前記時点より前に前記ユーザによって実行された前記タイプのユーザ・アクションから決定される、工程、
前記増分特徴ストアから第２の部分的結果を受け取る工程であって、前記第２の部分的結果は、前記時点より後に前記ユーザによって実行された前記タイプのユーザ・アクションから決定される、工程、
前記第１の部分的結果および前記第２の部分的結果を含む重み付けされた組合せを決定する工程であって、前記第１の部分的結果は、減衰係数によって重み付けされる、工程、および、
要求された前記特徴値として前記重み付けされた組合せを返す工程、
を行うように構成される要求プロセッサ・モジュールと、を備える、媒体。
【請求項１３】
前記減衰係数は、１未満の値である、請求項１２に記載の媒体。
【請求項１４】
前記減衰係数は、前記特徴に関連付けられているタイプに基づく、請求項１２に記載の媒体。
【請求項１５】
前記特徴管理モジュールは、
第２の増分特徴ストアを前記オンライン・システムによって維持する工程と、
後続の時点において第１の増分特徴ストアについて非アクティブとして印を付け、前記後続の時点より後に前記オンライン・システムによって受け取られたユーザ・アクションに応答して前記第２の増分特徴ストアの特徴を更新する工程と、を行うようにさらに構成され、
前記要求プロセッサ・モジュールは、
前記要求を受け取ったことに応答して、前記第２の増分特徴ストアから第３の部分的結果を受け取る工程を行うようにさらに構成される、請求項１２に記載の媒体。
【請求項１６】
前記重み付けされた組合せは、前記第３の部分的結果をさらに含む、請求項１４に記載の媒体。
【請求項１７】
前記重み付けされた組合せでは、第２の減衰係数によって前記第３の部分的結果を重み付けする、請求項１５に記載の媒体。
【請求項１８】
特徴は、ユーザ・アクションについて記述している値またはその他の特徴値のうちの１以上に基づく式として表される、請求項１２に記載の媒体。
【請求項１９】
前記特徴管理モジュールは、
前記増分特徴ストアについて非アクティブとして印を付け、前記増分特徴ストア内に記憶されている前記特徴値に対する前記更新を停止する工程と、
前記増分特徴ストアからの特徴値と、前記累積特徴ストアからの対応する特徴値との重み付けされた組合せを決定する工程であって、前記累積特徴ストアからの前記特徴値は、減衰係数によって重み付けされる、工程と、
前記重み付けされた組合せによって前記累積特徴ストアの前記特徴値を更新する工程と、を行うようにさらに構成される、請求項１２に記載の媒体。
【請求項２０】
前記特徴管理モジュールは、
前記累積特徴ストア用に使用されているデータ・ストアと比較して、より速いデータ・アクセスを提供するデータ・ストア内に前記増分特徴ストアを記憶する工程を行うようにさらに構成される、請求項１２に記載の媒体。
【請求項２１】
前記増分特徴ストアは、ランダム・アクセス・メモリ内に記憶されている、請求項１２に記載の媒体。